(57)【要約】【課題】レンズユニットを画像読取装置の本体フレームに直接固定する画像読取装置において，レンズユニットの位置調整時における比較的緩やかな固定と，位置調整後の確実な固定の２段階の固定を，レンズユニットの位置決めを狂わせるような外力がかからない状態で行いうるようにしたレンズユニットのフレームに対する固定構造を提供すること。【解決手段】画像読取光が通過するレンズユニットのフレームに対する固定構造において，上記レンズユニットを上記フレームに固定したままで，上記レンズユニットを上記フレームに固定する力を，２段階以上に切り替える固定力切替手段を備えてなるレンズユニットのフレームに対する固定構造。【選択図】図１
2008241986.tif 000002
【特許請求の範囲】
【請求項１】
画像読取光が通過するレンズユニットのフレームに対する固定構造において，
上記レンズユニットを上記フレームに固定したままで，上記レンズユニットを上記フレームに固定する力を，２段階以上に切り替える固定力切替手段を備えてなるレンズユニットのフレームに対する固定構造。
【請求項２】
上記固定力切替手段が，両端部に設けられた係合部によって上記フレームと係合することによって上記フレームとの間に挟んだレンズユニットを上記フレームに固定する第１のバンド状部材であって，少なくとも一端側の係合部が該第１のバンド状部材の長手方向の異なる位置に２個以上設けられた第１のバンド状部材を含むものである請求項１に記載のレンズユニットのフレームに対する固定構造。
【請求項３】
上記固定力切替手段が，両端部がネジによって上記フレームに固定されることによって上記フレームとの間に挟んだレンズユニットを上記フレームに固定する第２のバンド状部材であって，少なくともいずれかの一端に上記ネジを挿入するためのネジ挿入孔が，該第２のバンド状部材の長手方向の異なる位置に２個以上形成されてなる第２のバンド状部材を含むものである請求項１に記載のレンズユニットのフレームに対する固定構造。
【請求項４】
前記フレームが画像読取装置のフレームあるいは該フレームに固定された支持部材である請求項１〜３のいずれかに記載のレンズユニットのフレームに対する固定構造。
【請求項５】
前記画像読取装置を備えた画像形成装置が複写機，プリンタ，ファクシミリ，あるいはイメージスキャナである請求項４に記載のレンズユニットのフレームに対する固定構造。
【発明の詳細な説明】
【技術分野】
【０００１】
本発明は，原稿画像をイメージセンサや感光体，あるいはポリゴンミラーなどに結像させるレンズユニットを，画像読取装置本体のフレームに固定する構造に関するものであり，特に，構造の簡素化を図ったレンズユニットのフレームに対する固定構造に関するものである。
【背景技術】
【０００２】
従来より，複写機，プリンタ，イメージスキャナ，ファクシミリ装置等においては，イメージセンサ，感光体或いはポリゴンミラー等に原稿画像を結像させるために結像レンズが用いられている。
【０００３】
本発明が適用される画像形成装置の一例としての複写機における画像読取装置の概略縦断面を図５に示す。プラテンガラスＧの下の設けられた光源Ｌによって照らされた原稿Ｄからの反射光は，１点鎖線で示すように第１ミラーＭ１，第２ミラーＭ２，第３ミラーＭ３で反射された後，レンズユニット１で集光され，イメージセンサＳ上に結像し，イメージセンサＳによって電気信号に変換される。複写機がデジタル複写機の場合には，その後デジタル信号に変換される。
【０００４】
このとき，前記光源Ｌが，前記プラテンガラスＧ上の原稿Ｄに対して平行に走査することで，原稿Ｄ全面にわたっての画像データが取得される。上記走査は，光源Ｌが移動しても，原稿Ｄ側が移動しても良い。
【０００５】
図５において，前記プラテンガラスＧ上の原稿Ｄの画像は，レンズユニット１により１／Ｎ（倍率）に縮小されてイメージセンサＳ上に結像される。このレンズユニット１は複写機本体の画像読取装置に支持台等を介して取り付けられるが上述のように画像が縮小されるため，レンズユニット１の取付け位置が正確でないと，特に良好な解像度ＭＴＦ（Modulation Transfer Function）特性が得られない。そのため，上記レンズユニット１は，高度に位置決めされる必要がある。
【０００６】
そのために従来の画像形成装置では，画像読取装置の組み立ての際に，主に主走査方向の倍率調整を目的として，レンズユニット１の位置を該ユニットの光軸の方向に移動させて，その位置を正確に定めた後にフレームに固定するようにしている。
たとえば，特許文献１に記載の画像読取装置では，レンズユニットを中間的な取付台にバネを用いて固定し，この中間的な取付台の位置を光軸方向に精密に移動させることでレンズユニットの取り付け位置を高精度に設定している。
【特許文献１】特開平６−３３２０７７号公報
【発明の開示】
【発明が解決しようとする課題】
【０００７】
しかしながら，普及型の画像形成装置では，コストの面で，上記のような中間的な取付台を設けておらず，レンズユニットを画像読取装置の本体フレームに直接取り付けているので，上記のような中間的な取付台を移動させることによる微調整を行うことが出来ない。
また，本発明が対象とするような普及型の画像形成装置では，上記のようにレンズユニットを本体フレームの一部に取り付けることになるが，レンズユニットを位置決めする時にはレンズユニットが容易に移動できる程度の把持力で支持台に固定しながら位置決めを行い，その後レンズユニットを本格的に本体フレームに固定する時には，半永久的に動かないように，相当の力でレンズユニットを固定する必要がある。しかしながら，単純に作業者がレンズユニットを手で移動可能に抑えた状態で位置決めを行い，その後，手を離して，あるいはレンズユニットを手で押さえながらネジを締めるなどの固定作業を行うような方法では，せっかく位置決めしたレンズユニットが動いてしまい，位置決め精度を高く保つことが出来ない，即ち，一度位置決めしたレンズユニットの位置が，再度狂うという問題がある。
したがって，本発明は上記事情に鑑みてなされたものであり，その目的とするところは，レンズユニットを画像読取装置の本体フレームに直接固定する画像読取装置において，レンズユニットの位置調整時における比較的緩やかな固定と，位置調整後の確実な固定の２段階の固定を，レンズユニットの位置決めを狂わせるような外力がかからない状態で行いうるようにしたレンズユニットのフレームへの取付構造を提供することである。
【課題を解決するための手段】
【０００８】
上記目的を達成するために本発明は，画像読取光が通過するレンズユニットのフレームに対する固定構造において，上記レンズユニットを上記フレームに固定したままで，上記レンズユニットを上記フレームに固定する力を，２段階以上に切り替える固定力切替手段を備えてなるレンズユニットのフレームに対する固定構造である。
このようにレンズユニットを位置決めしうる弱い固定力で固定することと，レンズユニットをフレームに半永久的に強い固定力で固定することとをレンズユニットをフレームに固定したままで切り替えうるようにしたので，一度位置決めしたレンズユニットの位置を再度狂わせることなく正確に設定することが出来る。しかもこのような構成は極めて簡素であるので，安価に製造することが出来る。
【０００９】
上記固定力切替手段の具体例としては，両端部に設けられた係合部によって上記フレームと係合することによって上記フレームとの間に挟んだレンズユニットを上記フレームに固定する第１のバンド状部材であって，少なくとも一端側の係合部が該第１のバンド状部材の長手方向の異なる位置に２個以上設けられた第１のバンド状部材を含むものとして構成することが出来る。
上記係合部を切り替えるだけで固定力を変えることができるので，非常に安価に構成することが出来る。
また，別の具体例としては，上記固定力切替手段が，両端部がネジによって上記フレームに固定されることによって上記フレームとの間に挟んだレンズユニットを上記フレームに固定する第２のバンド状部材であって，少なくともいずれかの一端に上記ネジを挿入するためのネジ挿入孔が，該第２のバンド状部材の長手方向の異なる位置に２個以上形成されてなる第２のバンド状部材を含むものが考えられる。この場合も，単にネジを締めるだけで固定力を切り替えることができるので，構造として極めて安価に目的を達成できる。
前記のようなフレームは，画像読取装置のフレームあるいは該フレームに固定された支持部材として構成可能である。
また，この場合，前記画像読取装置を備えた画像形成装置は，複写機，ファクシミリ，あるいはイメージスキャナが考えられる。
【発明の効果】
【００１０】
本発明によれば，レンズユニットを位置決めしうる弱い固定力で固定することと，レンズユニットをフレームに半永久的に強い固定力で固定することとをレンズユニットをフレームに固定したままで切り替えうるようにしたので，一度位置決めしたレンズユニットの位置を再度狂わせることなく正確に設定することが出来る。しかもこのような構成は極めて簡素であるので，安価に製造することが出来る。
【発明を実施するための最良の形態】
【００１１】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施の形態に係るレンズユニット固定構造の分解斜視図，図２は図１に示した固定構造の取り付け状態を示す部分的斜視図，図３は他の実施形態にかかるレンズユニットの取付構造を示す部分的斜視図，図４は上記実施形態に用いられるバンド状部材の平面図，図５は本発明の背景となる画像読取装置の概略構成を示す概念図である。
図１に示すように，この実施形態にかかる固定構造が適用されるレンズユニット１は円筒状であり，画像読取装置本体のフレームの一部をなす支持台５には，上記レンズユニット１を装着するための断面半円弧状のレンズユニット１の取付座７が形成されている。このレンズユニット１の取付座７の円弧は，レンズユニット１の外面の円弧と同一或いはほぼ同一に構成され，図１に示すようにレンズユニット１を上記取付座７に装着した時に，レンズユニット１の光軸が正確に設計上のイメージセンサＳの光軸と一致するように設計されている。
【００１２】
図４（ａ）は，この実施形態に係るレンズユニット固定構造に用いられる固定力切替手段の一部をなす第１のバンド状部材１０ａを示している。この第１のバンド状部材１０ａには，その一端部１２ａに該第１のバンド状部材１０ａの長手方向の位置が異なる２個の係合部１４ａ，１５ａが設けられている。またこの第１のバンド状部材１０ａの他端には，１個の係合部１６ａが形成されている。なお，このバンド状部材１０ａには，略中央部分に，図４に示すように，開口Ｋ１が形成され，後記する支持台５への取付時におけるレンズユニット１に沿わせた曲げを容易に出来るよう，配慮されている。
さらに，前記取付座７の一方の隣には，上記第１のバンド状部材１０ａの係合部１４ａもしくは１５ａに係合可能な被係合部１８ａが，更に前記取付座７の他側の隣には，前記第１のバンド状部材１０ａの係合部１６ａと係合可能な被係合部１９ａが形成されている。
上記係合部１４ａ〜１６ａは，図４に示されるように単純な切欠きであるから，これと係合する被係合部１８ａ，１９ａも前記切欠きと噛み合う単純な突起でよい。
上記レンズユニット１の取付位置調整時には，図１の矢印Ｘで示すように第１のバンド状部材１０ａの上記係合部１６ａを上記被係合部１９ａに係合させ，他端外側の上記係合部１４ａを上記被係合部１８ａに係合させた時，この第１のバンド状部材１０ａと前記支持台５の取付座７との間にレンズユニット１が仮固定（比較的ゆるい力で固定）され，それによってレンズユニット１が取付座７からは外れないが，取付座７の円弧状断面の中心軸線に沿って，即ちレンズユニット１の光軸に沿って移動自在に，即ち位置調整可能な状態にレンズユニット１を固定する。
また，上記係合部１６ａを上記被係合部１９ａに係合させたままで，即ち，レンズユニット１を上記支持台５に固定したままで，外側の係合部１４ａの被係合部１８ａに対する係合を外して，内側の上記係合部１５ａを上記被係合部１８ａに係合させた時，この第１のバンド状部材１０ａと前記支持台５の取付座７との間にレンズユニット１が本固定（強い力で固定）され，それによってレンズユニット１が取付座７に強く固定される。
上記のようなレンズユニット１の取付座７へのゆるい仮固定と，きつい本固定とは，上記第１のバンド状部材１０ａにおける係合部１６ａ−１５ａの距離Ｌ１と係合部１６ａ−１４ａの距離Ｌ２との差によってもたらされる。
この実施形態に係るレンズユニット取付構造では，上記のように本体フレーム側の被係合部１８ａに係合した第１のバンド状部材１０ａの係合部１４ａを係合部１５ａに切り換えることで，バンド状部材１０ａによるレンズユニット１の固定力を切り替えるだけである。この切り替えは，単に第１のバンド状部材の端部１２ａをドライバの先端あるいは適当な冶具などで被係合部１８ａの奥の方に押し込むという作業のみによって達成されるので，その間に第１のバンド状部材１０ａによるレンズユニット１の固定状態が緩んだり，あるいは第１のバンド状部材１０ａがレンズユニット１の光軸の方向にずれたりすることがなく，位置調整されたレンズユニット１の位置が，上記第１のバンド状部材１０ａの架け直し動作によってずれて位置が狂うといった従来の技術において生じていた問題が解消される。
なお，上記実施形態では，第１のバンド状部材１０ａの端部１２ａに形成された係合部は，１４ａと１５ａの２つであるが，これは一例であって，３個以上の係合部を形成することも可能である。係合部１６ａについても２個以上形成されても問題はない。このように多数の係合部を形成することで，前記係合部間の距離Ｌ１，Ｌ２を更に多く作ることが出来るが，この場合，レンズユニット１の外径や，被係合部１８ａ−１９ａ間の距離が異なる複数の画像読取装置について，１つのバンド状部材で対応しうることとなり，コストダウンに寄与することになる。
【００１３】
図４（ｂ）は，別の実施形態に係るレンズユニット固定構造に用いられる固定力切替手段の一部をなす第２のバンド状部材１０ｂを示している。この第２のバンド状部材１０ｂには，その一端部１２ｂに，該第２のバンド状部材１０ｂの長手方向の位置が異なる２個のネジ挿入孔１４ｂ，１５ｂが設けられている。またこの第２のバンド状部材１０ｂの他端には，１個のネジ挿入孔１６ｂが形成されている。なお，このバンド状部材１０ｂについても，略中央部分に，図４に示すように，開口Ｋ２が形成され，後記する支持台５への取り付け時におけるレンズユニット１に沿わせた曲げを容易に出来るよう，配慮されている。
さらに，上記第２のバンド状部材１０ｂの構造に対応して，前記取付座７の一方の隣側に，上記第１のバンド状部材のネジ挿入孔１４ｂ及び１５ｂに挿入されたネジを装着可能なネジ孔１８ｂ及び２０ｂが，更に前記取付座７の他方の隣側には，前記第２のバンド状部材１０ｂのネジ挿入孔１６ｂに挿入されたネジを装着可能なネジ孔１９ｂが形成されている。
レンズユニット１の位置決め時には，上記第２のバンド状部材１０ｂを図３に示すように支持台５に沿わせ，上記ネジ挿入穴１６ｂに挿入したネジＢ１を上記ネジ挿入孔１９ｂに締め付け，外側の上記ネジ挿入孔１４ｂに挿入したネジをネジ孔１８ｂに締め付ける。この時，この第２のバンド状部材１０ｂと前記支持台５の取付座７との間にレンズユニット１が仮固定（比較的ゆるく固定）され，それによってレンズユニット１が取付座７からは外れないが，取付座７を構成する円筒状凹みの中心軸線に沿って，即ちレンズユニット１の光軸に沿って移動できることで，レンズユニット１の軸線方向の位置を自在に調整することができる。
また，上記ネジ挿入孔１６ｂに挿入されたネジＢ１によって片側端部を支持台５に固定させ，且つ外側のネジ挿入孔１４ｂに挿入されたネジＢ２によってその端部１２ｂを支持台５に固定したままで，即ち，レンズユニット１を上記支持台５に固定したままで，内側のネジ挿入孔１５ｂにネジＢ３を挿入し，このネジＢ３をネジ孔２０ｂに締め付けることで，この第２のバンド状部材１０ｂと前記支持台５の取付座７との間にレンズユニット１が本固定（強い力で固定）され，それによってレンズユニット１が取付座７にきつく固定される。
上記のようなレンズユニット１の取付座７へのゆるい仮固定と，きつい本固定とは，上記第２のバンド状部材１０ａにおけるネジ挿入孔１６ｂ−１４ｂの距離Ｌ３と係合部１６ａ−１４ａの距離Ｌ４との差によってもたらされる。
この実施形態に係るレンズユニット取付構造では，上記のようにネジＢ１とＢ２とによって仮固定されているところに，更にネジＢ３を締めるというだけで，簡単に仮固定から本固定に固定力を切り換えることが出来る。このように仮固定の状態を維持したままで，単にネジＢ３を締めるという作業だけで仮固定から本固定に切り換えることが出来，この時，第２のバンド状部材１０ｂによるレンズユニット１の固定状態が緩んだり，あるいは第２のバンド状部材１０ｂがレンズユニット１の光軸の方向にずれたりすることがまったくないので，位置調整されたレンズユニット１の位置が，仮固定から本固定の状態への変化によってずれて位置が狂うといった従来の技術において生じていた問題が解消される。
なお，上記実施形態では，第２のバンド状部材１０ｂの端部１２ａに形成されたネジ挿入穴は１４ｂと１５ｂの２つであるが，これは一例であって，３個以上の係合部を形成することも可能である。ネジ挿入孔１６ｂについても２個以上形成されても問題はない。このように多数の係合部の組み合わせを形成することで，前記係合部間の距離Ｌ３，Ｌ４を更に多く作ることが出来，レンズユニットの外形や，非係合部間の距離が異なる複数の画像読取装置について，１つのバンド状部材で対応しうることとなり，コストダウンに寄与することになる。また，ネジ挿入孔１４ｂ，１５ｂ，１６ｂは長孔であってもよい。
なお，前記フレームは上記のように画像読取装置のフレームとして構成されることが原則であるが，場合によっては，該フレームに固定された支持部材によって構成されても良い。
また，上の実施形態では，前記画像読取装置を備えた画像形成装置が複写機であるが，これはプリンタ，ファクシミリ，あるいはイメージスキャナであっても発明の実態に変化はない。
【図面の簡単な説明】
【００１４】
【図１】本発明の実施の形態に係るレンズユニット固定構造の分解斜視図。
【図２】図１に示した取付構造の取り付け状態を示す部分的斜視図。
【図３】他の実施形態にかかるレンズユニットの取付構造を示す部分的斜視図。
【図４】両実施形態に用いられるバンド状部材の平面図。
【図５】本発明の背景となる画像読取装置の概略構成を示す概念図。
【符号の説明】
【００１５】
１…レンズユニット
５…支持台
７…取付座
１０ａ…第１のバンド状部材
１０ｂ…第２のバンド状部材
１２ａ，１２ｂ…端部
１４ａ，１５ａ，１６ａ…係合部
１８ａ，１９ａ…被係合部
１４ｂ，１５ｂ，１６ｂ…ネジ挿入孔
Ｂ１，Ｂ２，Ｂ３…ネジ
１８ｂ，１９ｂ，２０ｂ…ネジ孔
【図１】
2008241986.tif 000003
【図２】
2008241986.tif 000004
【図３】
2008241986.tif 000005
【図４】
2008241986.tif 000006
【図５】
2008241986.tif 000007